(57)【要約】      （修正有）【課題】医療費の見える化、通院日記の見える化、医療控除の不正請求防止化ができる医療費専用カレンダーを提供する。【解決手段】日付・曜日を付した、紙製で方形状の１月から１２月までの各月カレンダー体２により構成される１２枚綴りのカレンダー総本体１からなる、医療費専用カレンダーであって、該各月カレンダー体２の各々は、その上部分に、通院する月日・週の箇所に通院などのチェック確認印である○・×印４を記載する医療記載事項欄３を設け、下部には、月分名６が記載された当該月分の領収書や明細書を入れるジッパー付き袋５を接着させ、かつ、該袋５の下部に合計金額を記載する欄７を設けてなり、さらに、該各月カレンダー体２のうち、最終月である１２月のものには、各月分のジッパー付き袋５を入れる少々大きめの方形状の総袋体８が接着されている。【選択図】図２
0003211832.tif 000002
【実用新案登録請求の範囲】
【請求項１】
紙性で方形状の日付・曜日を付した、１月から１２月分の１２枚綴りのカレンダーにおいて、前記紙性でもって形成のカレンダー総本体（１）の１２綴りの各月カレンダー体（２）の上部分には通院する月日・週の箇所、所要部に書き込みする医療記載事項欄（３）を設け、該欄の週・月日に通院などのチェック確認印の○・×印（４）で記載形成し、前記各月のカレンダーの下部分に１ヶ月ごとの医療費（領収書・明細書）を入れるジッパー付き袋（５）を接着させ形成し、該袋体には医療費（領収書・明細書）の月分名（６）と、前記各月のカレンダー体（２）の下部分に、合計金額欄（７）を設け、該各月のカレンダー体の最終月（１２月）には、各月分のジッパー付き袋を入れる少々大きめの方形状の総袋体（８）をカレンダー体（２）に接着形成したことを特徴とする医療費（領収書・明細書）専用カレンダー。
【考案の詳細な説明】
【技術分野】
【０００１】本考案は、医療費の不正請求予防と、医療費の見える化と、通院の見える化のために、医療費領収書などを専用カレンダーのジッパー袋に入れ、見える化して不正請求の予防防止に関する。
【背景技術】
【０００２】医療費の不正請求で、国が多額の金をだまし取られたという事があった。その後も、不正請求事件がしばしば発生している。年々増えていく医療費増大が実状である。医療費について、いろいろな抑制策も功を奏さないのが現状である。
【考案の概要】
【考案が解決しようとする課題】
【０００３】確定申告の際、医療控除を受ける場合は、医療費の領収書を申告書に添付するか提出する必要がある。【０００４】医療の領収書などは、添付書類の台紙に貼らずに、医療費の明細書を封筒に入れ、申告書と一緒に提出することになっているが、ふだん領収書の整理をする意識に欠けているのが実状である。【０００５】そこで、上記の欠点である医療費の領収書、明細書について、１年間分の各月の医療領収書を専用カレンダーに１ヶ月ごとにジッパー付きの袋を貼っておき、そこに領収書を置き、１２月には１年分の総合計を専用カレンダーに記載し、該カレンダーを提出申告する。【０００６】医療費（領収書・明細書）専用カレンダーによって見える化ができ、医療費の見える化、通院日記の見える化、医療控除の不正請求防止化ができ、前述の欠点を解決しようとするものである。
【課題を解決するための手段】
【０００７】本考案は、紙性で方形状の日付・曜日を付した１月から１２月分の１２枚綴りのカレンダーにおいて、前記紙性でもって形成のカレンダー総本体の１２枚綴りの各月のカレンダー体の上部分には、通院する月日・週の箇所の所要部に書き込みする医療記載事項欄を設け、該欄の週・月日に通院などのチェック確認印の○×印で記載形成し、前記各月のカレンダーの下部分に１ヶ月ごとの医療費（領収書・明細書）を入れるジッパー付き袋を接着させ形成し、該袋体には医療費（領収書・明細書）の月分名と前記各月のカレンダー体の下部分に合計金額欄を設け、該各月の最終月には、各月分ジッパー付き袋に入れる少々大きめの方形状の総袋体を、カレンダー体に接着形成したことで問題点を解決している。
【考案の効果】
【０００８】上記の様に、本考案の医療意（領収書・明細書）専用カレンダーは、カレンダー１ヶ月ごとにジッパー付き袋を貼っておき、そこに領収書などを入れて、月１回、日付順に明細書を記載し、毎月の合計金額を書き、１２月に１年分の総合計を記載できる医療費専用カレンダーである。【０００９】前述した構成作用により、本考案の専用カレンダーによって「医療費の見える化」は、各月に集積の領収書（明細書）を入れたジッパー付きの袋で、「通院の見える化」は、専用カレンダーの各月・週ごとに付ける○×印で通院確認が見える化できる。「医療控除の不正防止化」ができる幾多の効果がある本考案である。
【図面の簡単な説明】
【００１０】
【図１】本考案の使用状態を示す説明図である。
【図２】本考案の使用状態を示す説明図である。
【考案を実施するための形態】
【００１１】本考案の一実施例について説明すれば、第１図は、本考案の使用状態を示す説明図である。第２図は、本考案の使用状態を示す説明図である。
【００１２】以下、図に従い本考案の構成を説明することとする。紙性で方形状でもって、月日とか日付を付した１月〜１２月分を年間一括し、１２枚綴り化したカレンダーにおいて、前記紙性で方形状でもって形成のカレンダー総本体（１）である。該カレンダー体（２）の上部分には、通院などの医療記載事項を書き込み化する週・月日の記載事項欄（３）を設ける。
【００１３】該欄の週・月日に、通院などのチェック確認印の○×印を記載形成し、前記各月のカレンダー体の下部分に、１ヶ月ごとの医療費（領収書・明細書）を入れるジッパー付きの袋（５）を接着形成する。
【００１４】該袋体には、医療費の領収書、明細書の月分名（６）と、前記各月のカレンダー体（２）の下部分には、合計金額欄（７）を設ける。
【００１５】該各月のカレンダー体の最終月（１２月）には、各月分のジッパー付き袋体を入れる。少々大きめの紙性で方形状の総本体（８）を各カレンダー体に接着形成した構成の本考案である。
【００１６】上記構成によって、前述した各問題点である「医療費の見える化」と、「通院費の見える化」と「医療費不正請求の予防防止化」ができる。
【００１７】前記問題点について本考案は、「見える化」した医療費（領収書・明細書）を、「専用カレンダー化」したことである。
【符号の説明】
【００１８】１  総カレンダー本体
２  各カレンダー体
３  医療記載事項
４  ○、×印
５  ジッパー付き袋
６  月分名
７  合計金額欄
８  総袋体
【図１】
0003211832.tif 000003
【図２】
0003211832.tif 000004
【手続補正書】
【提出日】平成29年5月24日(2017.5.24)
【手続補正１】
【補正対象書類名】実用新案登録請求の範囲
【補正対象項目名】全文
【補正方法】変更
【補正の内容】
【実用新案登録請求の範囲】
【請求項１】
日付・曜日を付した、紙製で方形状の１月から１２月までの各月カレンダー体（２）１２枚により構成される１２枚綴りのカレンダー総本体（１）からなる、医療費専用カレンダーであって、該各月カレンダー体（２）の各々は、その上部分に、通院する月日・週の箇所に通院などのチェック確認印である○・×印（４）を記載する医療記載事項欄（３）を設け、下部には、月分名（６）が記載された当該月分の領収書や明細書を入れるジッパー付き袋（５）を接着させ、かつ、該袋（５）の下部に合計金額を記載する欄（７）を設けてなり、さらに、該各月カレンダー体（２）のうち、最終月である１２月のものには、各月分のジッパー付き袋（５）を入れる少々大きめの方形状の総袋体（８）が接着されていることを特徴とする、医療費専用カレンダー。